(57)【要約】【課題】  複数のリード部品をプリント配線基板にハンダ付けするためのハンダ付け用パレットにおいて、プリント配線基板の片方サイズの変更の場合に対応できるよう、プリント配線基板収容部にプリント配線基板の片方サイズの変動に対するスムーズに精度良く移動できる調整機構を持たせたハンダ付け用パレットを提供する。【解決手段】  片側の一対の駆動軸受ケース２３に軸支されている駆動シャフト２０に一対の駆動スプロケット２１と、一対の駆動スプロケット２１に対向しているもう一方の一対の従動軸受ケース３３に軸支されている従動シャフト３０に一対の従動スプロケット３１と、一対の駆動スプロケット２１の動力を一対の従動スプロケット３１に掛け渡している一対のチェーンコンベア４０と、プリント配線基板収容部１０ａと、案内板５０と、一対のチェーンコンベアホルダ４１と、一対の連結板５１と、位置決めツマミ５２で構成されている。【選択図】図１
0003174833.tif 000002
【実用新案登録請求の範囲】
【請求項１】
複数のリード部品をプリント配線基板にハンダ付けするためのハンダ付け用パレットにおいて、駆動シャフトを一対の駆動スプロケットの両側で軸受を介して回転自在に支持する一対の駆動軸受ケースを備え、前記駆動シャフトに対向する従動シャフトを一対の従動スプロケットの両側で軸受を介して回転自在に支持する一対の従動軸受ケースを備え、前記一対の駆動スプロケットの動力を前記一対の従動スプロケットに伝動する一対のチェーンコンベアを備え、前記ハンダ付け用パレットの上面にプリント配線基板を収容するプリント配線基板収容部と、前記プリント配線基板の片方サイズを自在に設定可能な案内板と、前記一対のチェーンコンベアを保持する一対のチェーンコンベアホルダと、前記案内板と一対のチェーンコンベアを連結する一対の連結板と、前記案内板を自在に所定位置へ移動可能な位置決めツマミを備えたことを特徴とするハンダ付け用パレット。
【請求項２】
前記一対のチェーンコンベアを案内する一対のガイドレールを備えたことを特徴とする請求項１に記載のハンダ付け用パレット。
【請求項３】
一対の補強レールを備えたことを特徴とする請求項１または２に記載のハンダ付け用パレット。
【考案の詳細な説明】
【技術分野】
【０００１】  本考案は、複数のリード部品をプリント配線基板にハンダ付けするためのハンダ付け用パレットにおいて、駆動シャフトを一対の駆動スプロケットの両側で軸受を介して回転自在に支持する一対の駆動軸受ケースを備え、駆動シャフトに対向する従動シャフトを一対の従動スプロケットの両側で軸受を介して回転自在に支持する一対の従動軸受ケースを備え、一対の駆動スプロケットの動力を一対の従動スプロケットに伝動する一対のチェーンコンベアを備え、ハンダ付け用パレットの上面にプリント配線基板を収容するプリント配線基板収容部と、プリント配線基板の片方サイズを自在に設定可能な案内板と、一対のチェーンコンベアを保持する一対のチェーンコンベアホルダと、案内板と一対のチェーンコンベアを連結する一対の連結板と、案内板を自在に所定位置へスムーズに精度良く移動調整できる位置決めツマミを備えたことを特徴とするプリント配線基板の片方サイズを自在にスムーズに精度良く設定可能なハンダ付け用パレットに関するものである。
【背景技術】
【０００２】  複数のリード部品をプリント配線基板にハンダ付けするためのハンダ付けパレットにおいて、プリント配線基板収容部がプリント配線基板の寸法に対応したプリント配線基板収容部となっており、ハンダ付けパレット本体とハンダ付けパレット本体の幅方向両端に配置されたパレット幅微調板と、ハンダ付けパレット本体に対してパレット幅微調板を幅方向に弾性的に移動自在に支持する弾性的支持部材をパレット幅微調板固定ネジに取付けたハンダ付けパレットである。このハンダ付けパレットは、プリント配線基板の寸法に対応した基板サイズ固定のプリント配線基板収容部となっているので、プリント配線基板の片方サイズの変更の場合に対応できないハンダ付けパレットである。【０００３】  例えば、特開２０１１−２３５９１号公報によれば、複数のリード部品をプリント配線基板にハンダ付けするためのハンダ付けパレットにおいて、プリント配線基板収容部がプリント配線基板の寸法に対応したプリント配線基板収容部となっており、ハンダ付けパレット本体とハンダ付けパレット本体の幅方向両端に配置されたパレット幅微調板と、ハンダ付けパレット本体に対してパレット幅微調板を幅方向に弾性的に移動自在に支持する弾性的支持部材をパレット幅微調板固定ネジに取付けたものとなっている。プリント配線基板収容部については、プリント配線基板の寸法に対応したプリント配線基板収容部となっているため、例えばプリント配線基板横幅（Ｘ値）が同じでプリント配線基板縦幅（Ｙ値）だけが４／５Ｙ値の別プリント配線基板に対して使用できないことになる。従って、プリント配線基板横幅（Ｘ値）が一定でプリント配線基板縦幅（Ｙ値）が変動する場合では、それぞれプリント配線基板縦幅（Ｙ値）サイズの違う複数のプリント配線基板の枚数分、ハンダ付けパレットを製作しなければならないことになる。【０００４】  一般に、複数のリード部品をプリント配線基板にハンダ付けするためのハンダ付けパレットにおいて、プリント配線基板収容部がプリント配線基板の寸法に対応したプリント配線基板収容部となっており、基板サイズの片方のサイズが違う場合、プリント配線基板ごとに対応したプリント配線基板収容部のハンダ付けパレットを用意しなければならない。このようにプリント配線基板収容部がプリント配線基板の片方サイズの変動に対する調整機構を設けていない為、プリント配線基板の片方サイズの変更の場合に対応できないという問題があった。
【先行技術文献】
【特許文献】
【０００５】
【特許文献１】特開２０１１−２３５９１号公報
【考案の概要】
【考案が解決しようとする課題】
【０００６】  複数のリード部品をプリント配線基板にハンダ付けするためのハンダ付けパレットにおいて、プリント配線基板収容部がプリント配線基板の寸法に対応したプリント配線基板収容部となっており、ハンダ付けパレット本体とハンダ付けパレット本体の幅方向両端に配置されたパレット幅微調板と、ハンダ付けパレット本体に対してパレット幅微調板を幅方向に弾性的に移動自在に支持する弾性的支持部材をパレット幅微調板固定ネジに取付けたものとなっている。プリント配線基板収容部については、プリント配線基板の寸法に対応したプリント配線基板収容部となっている。このようにプリント配線基板収容部がプリント配線基板の片方サイズの変動に対する調整機構を設けていない為、基板サイズの片方のサイズが違う場合、基板サイズの違うプリント配線基板ごとに対応したプリント配線基板収容部のハンダ付けパレットを用意しなければならない。また、プリント配線基板の片方サイズの変動に対する調整機構がスムーズに精度良く作動しなければならない。【０００７】  本考案は、上記課題に鑑みてなされたものであり、その目的は、複数のリード部品をプリント配線基板にハンダ付けするためのハンダ付け用パレットにおいて、プリント配線基板の片方サイズの変更の場合に対応できるよう、プリント配線基板収容部にプリント配線基板の片方サイズの変動に対する調整機構を持たせた。その調整機構として、駆動シャフトを一対の駆動スプロケットの両側で軸受を介して回転自在に支持する一対の駆動軸受ケースを備え、駆動シャフトに対向する従動シャフトを一対の従動スプロケットの両側で軸受を介して回転自在に支持する一対の従動軸受ケースを備え、一対の駆動スプロケットの動力を一対の従動スプロケットに伝動する一対のチェーンコンベアを備え、ハンダ付け用パレットの上面にプリント配線基板を収容するプリント配線基板収容部と、プリント配線基板の片方サイズを自在に設定可能な案内板と、一対のチェーンコンベアを保持する一対のチェーンコンベアホルダと、案内板と一対のチェーンコンベアを連結する一対の連結板と、案内板を自在に所定位置へスムーズに精度良く移動調整できる位置決めツマミを備えたハンダ付け用パレットを提供することである。
【課題を解決するための手段】
【０００８】  本考案のハンダ付け用パレットは、駆動シャフトを一対の駆動スプロケットの両側で軸受を介して回転自在に支持する一対の駆動軸受ケースを備え、駆動シャフトに対向する従動シャフトを一対の従動スプロケットの両側で軸受を介して回転自在に支持する一対の従動軸受ケースを備え、一対の駆動スプロケットの動力を一対の従動スプロケットに伝動する一対のチェーンコンベアを備え、ハンダ付け用パレットの上面にプリント配線基板を収容するプリント配線基板収容部と、プリント配線基板の片方サイズを自在に設定可能な案内板と、一対のチェーンコンベアを保持する一対のチェーンコンベアホルダと、案内板と一対のチェーンコンベアを連結する一対の連結板と、案内板を自在に所定位置へスムーズに精度良く移動調整できる位置決めツマミで構成されている。
【考案の効果】
【０００９】  本考案のハンダ付け用パレットは、プリント配線基板の片方サイズの変更の場合、基板サイズの違うプリント配線基板ごとに対応したプリント配線基板収容部のハンダ付けパレットを用意することなく、プリント配線基板の片方サイズの変更の場合に対応できるよう、プリント配線基板収容部にプリント配線基板の片方サイズの変動に対するスムーズに精度良く調整できる調整機構を設けた為、従来のハンダ付けパレットのようにそれぞれ基板サイズの片方サイズの違う複数のプリント配線基板の枚数分ハンダ付けパレットを製作する必要がなく、１枚で済み大幅な経費削減が可能となる。また、プリント配線基板の片方サイズの変動に対する調整機構がスムーズに精度良く作動可能となる。
【図面の簡単な説明】
【００１０】
【図１】  本考案の実施の形態を示すハンダ付け用パレットを概略的に示した平面図である。
【図２】  本考案の実施の形態を示すハンダ付け用パレットを概略的に示した右側面図である。
【図３】  図１のＡ−Ａ断面図である。
【図４】  本考案の実施の形態におけるプリント配線基板収容部Ｙ方向移動状態を概略的に示した平面図である。
【図５】  比較例におけるハンダ付けパレットの説明をするために概略的に示した平面図である。
【考案を実施するための形態】
【００１１】以下、本考案の実施の形態について図に基づいて説明する。
（実施の形態）
本考案の実施の形態の構成について説明する。
【００１２】  図１では、本考案のハンダ付け用パレットは、ハンダ付け用パレット１０の平面の上下隅に補強レール１３を配置している。上隅の補強レール１３の内側に駆動シャフト２０を一対の駆動スプロケット２１の両側で軸受２２を介して回転自在に支持する一対の駆動軸受ケース２３を配置している。駆動シャフト２０に対向する下隅の補強レール１３の内側に従動シャフト３０を一対の従動スプロケット３１の両側で軸受２２を介して回転自在に支持する一対の従動軸受ケース３３を配置している。一対の駆動スプロケット２１の動力を一対の従動スプロケット３１に一対のチェーンコンベア４０を掛け渡して伝動させている。ハンダ付け用パレット１０の平面中央部にプリント配線基板収容部１０ａを設けている。このプリント配線基板収容部１０ａにプリント配線基板１１を収容し、プリント配線基板横幅（Ｘ値）１１ａが一定でプリント配線基板縦幅（Ｙ値）１１ｂが変動する場合に対応できるようプリント配線基板１１の片方サイズすなわちプリント配線基板縦幅（Ｙ値）１１ｂを自在に移動可能な案内板５０の両端にそれぞれチェーンコンベア４０を保持するチェーンコンベアホルダ４１と案内板５０を連結する連結板５１により連結されている。そしてチェーンコンベアホルダ４１に取付けてある位置決めツマミ５２を反時計方向に回して持ち手動で案内板５０をプリント配線基板縦幅（Ｙ値）１１ｂの所定位置まで自在にスムーズに精度良く移動させて、そして位置決めツマミ５２を時計方向に回して止めている。このようにプリント配線基板の片方サイズすなわちプリント配線基板縦幅（Ｙ値）１１ｂの変動に対する調整機構の平面図が図示されている。図２では、本考案のプリント配線基板縦幅（Ｙ値）１１ｂの変動に対する調整機構の右側面図が図示されている。図３では、本考案のプリント配線基板縦幅（Ｙ値）１１ｂの変動に対する調整機構の図１におけるＡ−Ａ断面図が図示されている。図４では、本考案のプリント配線基板縦幅（Ｙ値）１１ｂが１／５Ｙ移動した調整機構の平面図が図示されている。
【００１３】  図１に示されている様に、ハンダ付け用パレット１０は、ハンダ付け用パレット１０の平面の上下隅に補強レール１３を配置している。上隅の補強レール１３の内側に駆動シャフト２０を一対の駆動スプロケット２１の両側で軸受２２を介して回転自在に支持する一対の駆動軸受ケース２３を配置している。駆動シャフト２０に対向する下隅の補強レール１３の内側に従動シャフト３０を一対の従動スプロケット３１の両側で軸受２２を介して回転自在に支持する一対の従動軸受ケース３３を配置している。一対の駆動スプロケット２１の動力を一対の従動スプロケット３１に一対のチェーンコンベア４０を掛け渡して伝動させている。ハンダ付け用パレット１０の平面中央部にプリント配線基板収容部１０ａを設けている。このプリント配線基板収容部１０ａにプリント配線基板１１を収容し、プリント配線基板横幅（Ｘ値）１１ａが一定でプリント配線基板縦幅（Ｙ値）１１ｂが変動する場合に対応できるようプリント配線基板１１の片方サイズすなわちプリント配線基板縦幅（Ｙ値）１１ｂを自在に移動可能な案内板５０の両端にそれぞれチェーンコンベア４０を保持するチェーンコンベアホルダ４１と案内板５０を連結する連結板５１により連結されている。そしてチェーンコンベアホルダ４１に取付けてある位置決めツマミ５２を反時計方向に回して持ち手動で案内板５０をプリント配線基板縦幅（Ｙ値）１１ｂの所定位置まで自在にスムーズに精度良く移動させて、そして位置決めツマミ５２を時計方向に回して止めている。駆動スプロケット２１の動力を従動スプロケット３１に掛け渡して伝動させているチェーンコンベア４０を案内しているガイドレール１２をハンダ付け用パレット１０の平面の左右に配置している。このガイドレールには取手１４を取付けている。また、案内板５０は、案内補強レール５０ａ付きの構成としている。このようにプリント配線基板横幅（Ｘ値）１１ａが一定でプリント配線基板縦幅（Ｙ値）１１ｂが変動する場合に対応できるよう案内板５０によるスムーズに精度良く移動できる調整機構を備えている。
【００１４】  図２に示されている様に、ハンダ付け用パレット１０において、片側の一対の駆動軸受ケース２３に軸支されている駆動シャフト２０に一対の駆動スプロケット２１を配置している。一対の駆動スプロケット２１に対向しているもう一方の一対の従動軸受ケース３３に軸支されている従動シャフト３０に一対の従動スプロケット３１を配置している。一対の駆動スプロケット２１の動力を一対の従動スプロケット３１に一対のチェーンコンベア４０を掛け渡して伝動させている。この一対のチェーンコンベア４０は一対のガイドレール１２により案内されている。
【００１５】  図３に示されている様に、図１のＡ−Ａ断面図でハンダ付け用パレット１０においてプリント配線基板縦幅（Ｙ値）１１ｂ（図１参照）を移動可能な案内板５０の両端にそれぞれガイドレール１２により案内されているチェーンコンベア４０を保持するチェーンコンベアホルダ４１と案内板５０を連結する連結板５１により連結されている。そしてチェーンコンベアホルダ４１に取付けてある位置決めツマミ５２を反時計方向に回して持ち手動で案内板５０をプリント配線基板縦幅（Ｙ値）１１ｂの所定位置まで自在にスムーズに精度良く移動させて、そして位置決めツマミ５２を時計方向に回して止めている。このようにプリント配線基板の片方サイズすなわちプリント配線基板縦幅（Ｙ値）１１ｂの変動に対するスムーズに精度良く移動できる調整機構を備えている。
【００１６】  図４に示されている様にプリント配線基板収容部１０ａにプリント配線基板１１を収容し、プリント配線基板横幅（Ｘ値）１１ａが一定でプリント配線基板縦幅（Ｙ値）１１ｂが変動する場合に対応できるようプリント配線基板１１の片方サイズすなわちプリント配線基板縦幅（Ｙ値）１１ｂを自在に移動可能な案内板５０の両端にそれぞれチェーンコンベア４０を保持するチェーンコンベアホルダ４１と案内板５０を連結する連結板５１により連結されている。そしてチェーンコンベアホルダ４１に取付けてある位置決めツマミ５２を反時計方向に回して持ち手動で案内板５０をプリント配線基板縦幅（Ｙ値）１１ｂの所定位置まで自在にスムーズに精度良く移動させて、そして位置決めツマミ５２を時計方向に回して止めて位置決めしている。そしてプリント配線基板縦幅（Ｙ値）１１ｂが１／５Ｙ移動したスムーズに精度良く移動できる調整機構を示している。
【００１７】  次に、本実施の形態の作用効果について比較例と比較して説明する。
図５に示されている様に、比較例は、本実施の形態と比較して、複数のリード部品をプリント配線基板にハンダ付けするためのハンダ付けパレット１において、プリント配線基板収容部１ａがプリント配線基板の寸法に対応したプリント配線基板収容部１ａとなっており、ハンダ付けパレット本体とハンダ付けパレット本体の幅方向両端に配置されたパレット幅微調板２と、ハンダ付けパレット本体に対してパレット幅微調板２を幅方向に弾性的に移動自在に支持する弾性的支持部材４をパレット幅微調板固定ネジ３に取付けたものとなっている。プリント配線基板収容部１ａについては、プリント配線基板の寸法に対応したプリント配線基板収容部１ａとなっている。このようにプリント配線基板収容部１ａがプリント配線基板の片方サイズの変動に対する調整機構を設けていない為、基板サイズの片方サイズの違うプリント配線基板ごとに対応したプリント配線基板収容部のハンダ付けパレットを用意しなければならない。
【００１８】  これに対して、本実施の形態によれば、本考案のハンダ付け用パレット１０は、複数のリード部品をプリント配線基板にハンダ付けするためのハンダ付け用パレットにおいて、プリント配線基板１１の片方サイズの変更の場合に対応できるよう、プリント配線基板収容部１０ａにプリント配線基板１１の片方サイズの変動に対するスムーズに精度良く移動できる調整機構を持たせた。その調整機構として、駆動シャフト２０を一対の駆動スプロケット２１の両側で軸受２２を介して回転自在に支持する一対の駆動軸受ケース２３を備え、駆動シャフト２０に対向する従動シャフト３０を一対の従動スプロケット３１の両側で軸受を介して回転自在に支持する一対の従動軸受ケース３３を備え、一対の駆動スプロケット２１の動力を一対の従動スプロケット３１に伝動する一対のチェーンコンベア４０を備え、ハンダ付け用パレット１０の上面にプリント配線基板１１を収容するプリント配線基板収容部１０ａと、プリント配線基板１１の片方サイズを自在に設定可能な案内板５０と、一対のチェーンコンベア４０を保持する一対のチェーンコンベアホルダ４１と、案内板５０と一対のチェーンコンベア４０を連結する一対の連結板５１と、案内板５０を自在に所定位置へスムーズに精度良く移動調整できる位置決めツマミ５２を備えている。このようにプリント配線基板収容部１０ａにプリント配線基板１１の片方サイズの変動に対するスムーズに精度良く移動できる調整機構を設けた為、従来のハンダ付けパレットのようにそれぞれ基板サイズの片方サイズの違う複数のプリント配線基板の枚数分ハンダ付けパレットを製作する必要がなく、１枚で済み大幅な経費削減が可能となる。また、プリント配線基板の片方サイズの変動に対する調整機構がスムーズに精度良く作動可能となることである。
【産業上の利用可能性】
【００１９】  本考案は、複数のリード部品をプリント配線基板にハンダ付けするためのハンダ付け用パレットに特に有利に適用され得る。
【符号の説明】
【００２０】  １０  ハンダ付け用パレット、１０ａ  プリント配線基板収容部、１１  プリント配線基板、１１ａ  プリント配線基板横幅（Ｘ値）、１１ｂ  プリント配線基板縦幅（Ｙ値）、１２  ガイドレール、１３  補強レール、１４  取手、２０  駆動シャフト、２１  駆動スプロケット、２２  軸受、２３  駆動軸受ケース、３０  従動シャフト、３１  従動スプロケット、３３  従動軸受ケース、４０  チェーンコンベア、４１  チェーンコンベアホルダ、５０  案内板、５０ａ  案内補強レール、５１  連結板、５２  位置決めツマミ、
【図１】
0003174833.tif 000003
【図２】
0003174833.tif 000004
【図３】
0003174833.tif 000005
【図４】
0003174833.tif 000006
【図５】
0003174833.tif 000007